(57)【要約】ブランクコアにより形成されたスケートボードデッキを備える動力付きスケートボード。スケートボードデッキは、動力付きスケートボードのライダーを支持する上面と、１つ以上のスケートボードトラックと容易に係合するように構成された底面とを有する。スケートボードデッキは、スケートボードデッキの上面における凹部を備えることができる。凹部は、動力付きスケートボードの１つ以上の構成部品を格納するように適合することができる。
2018512981.tif 000002
【特許請求の範囲】
【請求項１】
動力付きスケートボード用のスケートボードデッキを作製する方法であって、
ブランクコアにより前記スケートボードデッキを形成するステップであって、前記スケートボードデッキは、前記動力付きスケートボードのライダーを支持する上面と、１つ以上のスケートボードトラックと容易に係合するように構成された底面とを有する、前記ブランクコアにより前記スケートボードデッキを形成するステップと、
前記スケートボードデッキの上面から材料を除去することによって前記スケートボードデッキの上面における凹部を形成するステップであって、前記凹部は、前記動力付きスケートボードの１つ以上の構成部品を格納するように適合されている、前記スケートボードデッキの上面における凹部を形成するステップと、
を含む、方法。
【請求項２】
前記凹部と前記スケートボードデッキの縁部との間に設置されるワイヤを支持するように構成された導管を、前記スケートボードデッキの上面内に形成するステップを更に含む、請求項１に記載の方法。
【請求項３】
前記スケートボードデッキを複合材料でラップするステップと、
前記スケートボードデッキにおいて前記複合材料を硬化させるステップと、
を更に含む、請求項１に記載の方法。
【請求項４】
前記スケートボードデッキを、前記スケートボードデッキの上面内に形成された前記導管の開口を覆う複合材料でラップするステップと、
前記スケートボードデッキにおいて前記複合材料を硬化させるステップと、
を更に含む、請求項２に記載の方法。
【請求項５】
ライトアセンブリを受け入れるように構成されたソケットを、前記スケートボードデッキ内に機械加工するステップを更に含む、請求項３に記載の方法。
【請求項６】
前記スケートボードデッキは、横方向のサイズよりも縦方向のサイズが大きく、
補強レールを前記スケートボードデッキの縦方向の縁部の少なくとも一部に適用するステップを更に含む、
請求項１に記載の方法。
【請求項７】
前記凹部内にライナーを取り付けるステップを更に含む、請求項１に記載の方法。
【請求項８】
前記凹部内に格納された前記動力付きスケートボードの１つ以上の構成部品は、前記動力付きスケートボード用の動力源を含む、請求項１に記載の方法。
【請求項９】
前記凹部内に格納された前記動力付きスケートボードの１つ以上の構成部品は、前記動力付きスケートボード用の制御モジュールを含む、請求項１に記載の方法。
【請求項１０】
前記スケートボードデッキの表面における凹部によって形成された開口をカバーするように構成された取り外し可能な凹部カバーを設けるステップを更に含む、請求項１に記載の方法。
【請求項１１】
動力付きスケートボードであって、
前記動力付きスケートボードのライダーを支持する上面と、１つ以上のスケートボードトラックと容易に係合するように構成された底面と、を有するスケートボードデッキと、
前記スケートボードの上面に形成され、前記動力付きスケートボードの１つ以上の構成部品を格納するように適合された凹部と、
を備える、動力付きスケートボード。
【請求項１２】
前記凹部と前記スケートボードデッキの縁部との間に設置されるワイヤを支持するように構成された、前記スケートボードデッキの上面内における導管を更に備える、請求項１１に記載のシステム。
【請求項１３】
前記スケートボードデッキの表面において硬化した複合材料を更に含む、請求項１１に記載のシステム。
【請求項１４】
前記スケートボードデッキの上面内に配置された前記導管の開口を覆う複合材料を更に含み、前記複合材料は、前記スケートボードデッキの表面において硬化している、請求項１２に記載のシステム。
【請求項１５】
前記スケートボードデッキの縁部に設置されたソケットを更に備え、前記ソケットは、ライトアセンブリを受け入れるように構成されている、請求項１３に記載のシステム。
【請求項１６】
前記スケートボードデッキは、横方向のサイズよりも大きな縦方向のサイズを有し、前記スケートボードデッキの縦方向の縁部の少なくとも一部に取り付けられた補強レールを更に備える、請求項１１に記載のシステム。
【請求項１７】
前記凹部内に取り付けられたライナーを更に含む、請求項１１に記載のシステム。
【請求項１８】
前記凹部内に格納された前記動力付きスケートボードの前記１つ以上の構成部品は、前記動力付きスケートボード用の動力源を含む、請求項１１に記載のシステム。
【請求項１９】
前記凹部内に格納された前記動力付きスケートボードの前記１つ以上の構成部品は、前記動力付きスケートボード用の制御モジュールを含む、請求項１１に記載のシステム。
【請求項２０】
前記スケートボードデッキの表面における前記凹部によって形成された開口をカバーするように構成された取り外し可能な凹部カバーを更に備える、請求項１１に記載のシステム。
【発明の詳細な説明】
【技術分野】
【０００１】
（関連出願の相互参照）
本出願は、２０１５年３月３日に出願された、「動力付きスケートボード用のデッキ」を発明の名称とした米国仮特許出願番号第６２／１２７，７７６号の出願に基づいて優先権及びその利益を主張するものであり、その全体の内容が参照により本明細書に組み込まれる。
【０００２】
本明細書に記載される発明主題は、スケートボードに関し、特に、動力付きスケートボードに関する。
【背景技術】
【０００３】
スケートボードは、一般的には、上面及び下面を有する細長いボード（デッキと呼ばれることもある）を備える。上面は、一般に、スケートボードのライダーの足を支持し、下面は、一般に、デッキに取り付けられ、当該デッキのいずれかの端に向かって設置された２つのトラックを備える。上面は、スケートボードに乗っているライダーを支持することができる。トラックは、一般に、スケートボードデッキに関するいくつかの自由度を、車輪に与えて、車輪が不均一な地面で転がることを可能にするとともに、ライダーによるスケートボードの回転を容易にする。
【０００４】
スケートボードは、一般的には、ライダーがスケートボードを始動させるための推進力を提供することを必要とする。通常、ライダーは、片方の足をスケートボードデッキに乗せ、他方の足が地面を蹴り出すことによってスケートボードを始動させる。
【０００５】
動力源を有するスケートボードがいくつか開発されている。動力源は、ガソリンエンジンであってもよい。あるいは、動力源は、電気モータであってもよい。一般的には、このような動力源は、スケートボードデッキの下側に取り付けられる、又はスケートボードデッキの上面に載置される。このような動力システムは、質量の分布に不利な影響を及ぼし、美観を損ねることも生じる。
【発明の概要】
【発明が解決しようとする課題】
【０００６】
一態様によれば、動力付きスケートボード用のスケートボードデッキを作製する方法が提供される。当該方法は、ブランクコアによりスケートボードデッキを形成するステップを含むことができる。スケートボードデッキは、動力付きスケートボードのライダーを支持するための上面と、１つ以上のスケートボードトラックとの係合を容易にするように構成された底面とを有することができる。スケートボードデッキは、縦方向のサイズ及び横方向のサイズを有することができ、縦方向サイズは、横方向サイズよりも大きい。凹部（well）は、スケートボードデッキの上面に形成することができる。当該凹部は、スケートボードデッキの上面から材料を除去することによって形成することができる。当該凹部は、動力付きスケートボードの１つ以上の構成部品を格納するように適合することができる。
【０００７】
スケートボードデッキの上面に導管（conduit）を形成することができる。導管は、凹部とスケートボードデッキの縁部との間に設置されるワイヤを支持するように構成することができる。導管は、スケートボードデッキの表面の上面内に導管をミリングすることによって形成することができる。いくつかの変形例において、チューブを導管内に設置することができる。
【０００８】
スケートボードデッキは積層することができる。スケートボードデッキは複合材料でラップすることができる。複合材料は、スケートボードデッキにおいて硬化することができる。複合材料は、導管によって形成された開口の上に堆積され、導管を閉じてチューブを形成することができる。
【０００９】
いくつかの変形例において、スケートボードデッキ内にソケットを機械加工することができる。ソケットは、ライトアセンブリ（light assembly）を受け入れるように構成することができる。
【００１０】
凹部ライナーは、スケートボードデッキの凹部内に取り付けることができる。
【００１１】
スケートボードデッキの凹部及び／又は凹部ライナー内に収容されている１つ以上の構成部品は、動力付きスケートボード用の電源、動力付きスケートボード用の制御モジュール、通信機器などを含むことができる。
【００１２】
スケートボードデッキの表面における凹部によって形成される開口をカバーするように構成された取り外し可能な凹部カバーを設けることができる。
【００１３】
別の態様において、動力付きスケートボードが記載される。当該動力付きスケートボードは、ブランクコア（blank core）により形成されたスケートボードデッキを備えることができる。スケートボードデッキは、動力付きスケートボードのライダーを支持する上面と、１つ以上のスケートボードトラックと容易に係合するように構成された底面とを有することができる。スケートボードデッキは、スケートボードの上面に形成された凹部を有することができる。凹部は、動力付きスケートボードの１つ以上の構成部品を格納するように適合することができる。
【００１４】
スケートボードデッキは、スケートボードデッキの上面内に導管を有することができる。導管は、凹部とスケートボードデッキの縁部との間に設置されるワイヤを支持するように構成することができる。
【００１５】
複合材料は、スケートボードデッキの表面において硬化することができる。
【００１６】
複合材料は、スケートボードデッキの上面内に配置された導管の開口を覆うことができる。複合材料は、スケートボードデッキの表面において硬化することができる。
【００１７】
ソケットは、スケートボードデッキの縁部に設置することができる。ソケットは、ライトアセンブリを受け入れるように構成することができる。
【００１８】
スケートボードデッキは、縦方向のサイズ及び横方向のサイズを有することができ、縦方向のサイズは、横方向のサイズよりも大きい。スケートボードデッキは、スケートボードデッキの縦方向の縁部の少なくとも一部に取り付けられた補強レールを含むことができる。
【００１９】
いくつかの変形例において、ライナーをスケートボードデッキの凹部内に取り付けることができる。
【００２０】
動力付きスケートボードは、凹部カバーを含むことができる。凹部カバーは、スケートボードデッキの表面における凹部によって形成された開口をカバーするように構成することができる。
【００２１】
一態様において、スケートボードデッキを備えることができる動力付きスケートボードが記載される。スケートボードデッキは、底部を有することができる。底部は、１つ以上のスケートボードトラックと容易に係合するように構成されたトラック取り付け部を有することができる。スケートボードデッキは、上部を有することができる。上部は、上面を有することができる。上面は、動力付きスケートボードのライダーを支持するように構成することができる。スケートボードデッキは、キャビティを有することができる。キャビティは、スケートボードデッキの底部と上部との間に設置することができる。キャビティは、動力付きスケートボードの１つ以上の構成部品を格納するように適合することができる。
【００２２】
別の態様において、動力付きスケートボード用のデッキを作製する方法が提供される。動力付きスケートボードデッキを作製する方法は、スケートボードデッキの底部用の第１モールドを提供することを含むことができる。第１モールドは、トラック取り付け部を形成することができる。トラック取り付け部は、スケートボードデッキの底部が１つ以上のスケートボードトラックと容易に係合するように構成することができる。第２モールドは、スケートボードデッキの上部のために提供することができる。第２モールドは、スケートボードのライダーを支持する上面を有するように、スケートボードデッキの上部を形成することができる。第１モールドは、成形可能な材料によりスケートボードデッキの底部を形成するために利用することができる。第２モールドは、成形可能な材料によりスケートボードデッキの上部を形成するために利用することができる。第１モールド及び第２モールドは、底部と上部とが結合されたときに、スケートボードデッキの底部と上部との間にキャビティを形成するように構成することができる。
【００２３】
スケートボードデッキの上部と底部とは、ネジ、接着剤を用いた１つ以上の音波を利用する締結法（sonically securing）、及び／又は他の結合方法によって結合することができる。
【００２４】
別の態様において、動力付きスケートボード用のデッキを作製する方法が提供される。当該方法は、スケートボードデッキ用の内面を有するモールドを提供することを含むことができる。内面は、スケートボードデッキのモールディングを容易にするように構成することができる。スケートボードデッキは、動力付きスケートボードのライダーを支持するように適合された上部を含むことができる。スケートボードデッキは、１つ以上のスケートボードトラックと容易に係合するように構成されたトラック取り付け部を有する底部を含むことができる。スケートボードデッキは、スケートボードデッキの上部と底部との間におけるキャビティを有することができる。
【００２５】
動力付きスケートボード用のデッキを作製する方法は、スケートボードデッキ用のモールド内に成形可能な材料を導入することを含むことができる。成形可能な材料で、スケートボードデッキの内面をコーティングするようにすることができる。膨張可能なブラダ（inflatable bladder）は、スケートボードデッキ用のモールド内に導入することができる。膨張可能なブラダは、モールドの内部で膨張し、成形可能な材料をモールドの内面に押し付け、モールドの内面の形状をとるように構成することができる。
【００２６】
動力付きスケートボード用のデッキを作製する方法は、オプションとして、スケートボードデッキの上部に開口部を形成するステップを含むことができる。
【００２７】
いくつかの変形例において、以下の特徴のうちの１つ以上は、任意の実現可能な組み合わせに含まれることができる。スケートボードデッキの上部は、開口部を有することができる。開口部は、スケートボードデッキの上部と底部との間のキャビティへのアクセスを容易にするように構成することができる。蓋部は、開口部をカバーするとともに、動力付きスケートボードのライダーに支持を提供するように構成することができる。蓋部は、適所にねじ込まれて開口部をカバーし、ライダーに支持を提供するように構成することができる。蓋部は、ヒンジを介してスケートボードデッキの上部に取り付けるように構成することができる。スケートボードデッキの上部は、蓋部と係合するスロットを備え、蓋部が当該スロットに滑り込み、スケートボードデッキのキャビティをカバーし、ライダーを支持するように構成することができる。
【００２８】
スケートボードデッキの上部は、複数の開口部を有することができる。１つの開口部は、動力付きスケートボードの定期的に取り外すことができる構成部品へのアクセスを容易にするように構成することができる。そのような定期的に取り外される構成部品は、動力付きデッキの燃料源及び／又は動力付きデッキの燃料源用の容器を含むことができる。他の開口部は、スケートボードデッキの定期的に取り外されるものではない構成部品へのアクセスを容易にするように構成することができる。このような定期的に取り外されるものではない構成部品は、動力付きスケートボードを制御するための制御システムとすることができる。
【００２９】
スケートボードデッキは、１つ以上の導管を有することができる。１つ以上の導管は、動力源とスケートボード用の駆動源との間の接続を容易にするように構成することができる。１つ以上の導管は、スケートボードデッキのキャビティ内に設置された電源と１つ以上の電気モータとの間の接続を容易にするように構成することができる。
【００３０】
上部と底部との間のキャビティ内に格納される構成部品は、受信器を含むことができる。受信器は、ユーザからの指令を受信し、電動式スケートボードを制御するように適合することができる。指示は、送信器から受信することができる。
【００３１】
スケートボードデッキは、電気ポート（electronic port）の差し込み口を備えることができる。電気ポートの差し込み口は、電気ポートをスケートボードデッキに固定するように構成することができる。電気ポートは、ＵＳＢポート、ＦｉｒｅＷｉｒｅポート、及び／又は他のポートのうちの１つ以上とすることができる。電気ポートは、外部装置と動力付きスケートボードの１つ以上の構成部品との間の通信を容易にするように構成することができる。電気ポートは、動力付きスケートボードの１つ以上の構成部品への電気エネルギーの伝達を容易にするように構成することができる。電気ポートは、動力付きスケートボードの１つ以上の構成部品から外部装置への電気エネルギーの伝達を容易にするように構成することができる。
【００３２】
スケートボードデッキの上部は、スケートボードデッキの底部に固定することができる。スケートボードデッキの上部は、ネジ、接着剤、溶接、機械的締結、及び／又は他の固定機構のうちの１つ以上によってスケートボードデッキの底部に固定することができる。スケートボードデッキの上部は、スケートボードデッキの下部と連続していてもよい。スケートボードデッキはモノコック構造を有することができる。
【００３３】
スケートボードデッキは、射出成形プラスチックを含むことができる。スケートボードデッキは、炭素繊維を含むことができる。スケートボードデッキは、鍛造炭素繊維を含むことができる。スケートボードデッキは、強化炭素繊維を含むことができる。
【００３４】
動力付きスケートボードは、電動式とすることができる。上部と底部との間のキャビティ内に格納されている１つ以上の構成部品は、電動式スケートボードの１つ以上の電気モータに電力を供給するための電源を含むことができる。電源は、バッテリパックを含むことができる。
【００３５】
本発明主題により想定されるバッテリパックは、交換可能とすることができる。本発明主題により想定されるバッテリパックは、本明細書で開示される動力付きスケートボード用のスケートボードデッキのキャビティ内に固定するのに適した幅を有することができる。本発明主題によって想定されるバッテリパックは、スケートボードデッキの前部トラック取り付け部と後部トラック取り付け部との間にはめ込むのに適した長さを有することができる。想定されるバッテリパックは、スケートボードデッキから取り外し可能に構成することができる。例えば、バッテリパックが空になったときに、充電されたバッテリパックと交換することができる。バッテリパックは、複数のセルを有することができる。バッテリパックは、ケーシングを備えることができる。ケーシングは、スケートボードデッキの１つ以上のキャビティ内にバッテリパックを固定するように適合された形状及び／又は寸法を有することができる。
【００３６】
本発明主題は、蓄えられる電荷量の異なる複数の異なるバッテリパックを想定する。複数の異なるバッテリパックは、実質的に同様の寸法を有する外側ケースを備えることができる。実質的に同様の寸法を有する外側ケースを備える複数の異なるバッテリパックは、複数の異なるバッテリパックをスケートボードデッキのキャビティ内に固定することを容易にすることができる。
【００３７】
本明細書に記載の発明主題の１つ以上の変形例の詳細は、添付の図面及び以下の説明に記載される。本明細書に記載の発明主題の他の特徴及び利点は、説明及び図面、並びに特許請求の範囲により明らかになるであろう。開示されている発明主題の一定の特徴が例示のみのために記載されており、そのような特徴を限定する意図ではないことは、容易に理解されるべきであろう。本開示に続く特許請求の範囲は、保護される発明主題の範囲を定義することを意図している。
【００３８】
添付の図面は、本明細書に組み込まれ、本明細書の一部を構成するものであり、本明細書に開示される発明主題のいくつかの態様を示し、記載と共に、開示される実施形態に関連する原理の一部を説明するために役立つ。
【図面の簡単な説明】
【００３９】
【図１】本発明主題の実施形態と一致する特徴の１つ以上を有する動力付きスケートボードのいくつかの要素の概略図である。
【図２】本明細書の実施形態と一致する特徴の１つ以上を有する動力付きスケートボードと一緒に使用される凹部ライナーの図である。
【図３】本明細書の実施形態と一致する特徴の１つ以上を有する動力付きスケートボードと一緒に使用されるバッテリの図である。
【図４】本明細書の実施形態と一致する特徴の１つ以上を有する動力付きスケートボードのいくつかの構成部品の図である。
【図５】本明細書の実施形態と一致する特徴の１つ以上を有する動力付きスケートボードのいくつかの構成部品の図である。
【図６】本明細書の実施形態と一致する特徴の１つ以上を有するスケートボードデッキの様々な要素の概略図である。
【図７】本明細書の実施形態と一致する特徴の１つ以上を有する動力付きスケートボードの側面図及び上面図を含む図である。
【図８】本明細書の実施形態と一致する特徴の１つ以上を有する動力付きスケートボードの斜視図である。
【図９】本明細書の実施形態と一致する特徴の１つ以上を有する動力付きスケートボードと一緒に使用されるバッテリパックの斜視図である。
【図１０】本明細書の実施形態と一致する特徴の１つ以上を有するスケートボードデッキを作製する方法の態様を示すプロセスフロー図である。
【図１１】本明細書の実施形態と一致する特徴の１つ以上を有するスケートボードデッキを作製する方法の態様を示すプロセスフロー図である。
【図１２】本明細書の実施形態と一致する特徴の１つ以上を有するスケートボードデッキの作製する方法の態様を示すプロセスフロー図である。
【発明を実施するための形態】
【００４０】
実施の形態において、同様の参照番号は同様の構造、特徴、又は要素を示す。
【００４１】
動力付きスケートボードデッキ内に設置される動力付きスケートボードの１つ以上の構成部品を含む動力付きスケートボードが提供される。動力付きスケートボードは、電動式とすることができる。動力付きスケートボードに推進力を与えるための電気モータは、動力付きスケートボードの車輪に設置することができる。電気モータに動力を与えるための電気を供給するバッテリは、デッキ内に設置することができる。モータ制御ユニットは、動力付きスケートボードデッキ内に設置することができる。導管は、スケートボードデッキの全体に配置され、電気配線を収容し、バッテリから電気モータに電力を伝送ことができる。
【００４２】
モータ制御ユニットは、動力付きスケートボードのモータを制御し、動力付きスケートボードの動力源又はバッテリの状態を監視し、コントローラ、スマートフォン、及び／又はモータ制御ユニットと通信可能な他の装置との通信を容易にするように、及び／又は他の機能を実行するように構成することができる。
【００４３】
動力付きスケートボードデッキは、動力付きスケートボードにおける警告及び／又は照明光を提供するための１つ以上のライトソケットを備えることができる。導管は、スケートボードデッキ内に配置され、バッテリと１つ以上のライトソケット内に設置された１つ以上のライトとの間の電気配線を収容することができる。
【００４４】
動力付きスケートボードデッキは、複合材料でコーティングすることができる。複合材料は、スケートボードデッキにおいて硬化することができる。複合材料は、スケートボードデッキに強度と弾力性を提供することができる。複合材料は、スケートボードデッキに配置された１つ以上の導管の上に配布され、導管が電池の凹部と１つ以上の電気部品との間にトンネルを形成するようにすることができる。
【００４５】
図１は、本発明主題の実施形態と一致する特徴の１つ以上を有する動力付きスケートボード１００のいくつかの要素を示す概略図である。動力付きスケートボード１００は、スケートボードデッキ１０２を備えることができる。スケートボードデッキ１０２は、スケートボードデッキブランクにより形成することができる。スケートボードデッキブランクは、スケートボードデッキ１０２の意図されたサイズと実質的に同一のサイズであってもよく、１以上の寸法においてスケートボードデッキ１０２の意図されたサイズよりも大きいサイズであってもよい。いくつかの変形例において、スケートボードデッキブランクは、スケートボードデッキ１０２の意図された形状と同様の形状を有することができる。
【００４６】
スケートボードデッキブランクは、木材、発泡体、複合材料、プラスチックなどにより形成することができる。
【００４７】
スケートボードデッキブランクは、スケートボードデッキ１０２を形成するようにミル加工及び／又は形成することができる。いくつかの変形例において、スケートボードデッキブランクは、コンピュータ支援数値制御（ＣＮＣ）加工機械を利用してミル加工することができる。ＣＮＣ加工機械は、スケートボードデッキブランクを、所望の構成及び／又は設計を有するスケートボードデッキ１０２にミル加工及び／又は形成するための１つ以上のミル加工及び／又は成形装置を備えることができる。
【００４８】
スケートボードデッキ１０２は、１つ以上の導管１０４を有することができる。いくつかの変形例において、導管１０４は、スケートボードデッキ１０２の上部１０５内に配置することができる。導管１０４は、動力付きスケートボード１００の構成部品を支持するように構成することができる。いくつかの変形例において、導管１０４は、スケートボードデッキ１０２の凹部１０６と動力付きスケートボード１００の１つ以上の電気部品との間の電気配線を支持するように構成することができる。
【００４９】
いくつかの変形例において、配管１０８を導管１０４内に設置することができる。配管１０８は、そこを通る電線の通過を容易にするように構成することができる。
【００５０】
いくつかの変形例において、補強レール１１０をスケートボードデッキ１０２の少なくとも縦方向の縁部に設置することができる。
【００５１】
複合材料１１２は、スケートボードデッキ１０２の外側表面に積層することができる。いくつかの変形例において、複合材料１１２は、積層及び／又は樹脂により形成することができる。複合材料１１２は、１つ以上の補強材料を含むことができる。
【００５２】
いくつかの変形例において、複合材料１１２のコーティングプロセスの前に、及び／又はコーティングプロセスの間に、１つ以上の図形をスケートボードデッキ１０２上に配置することができる。
【００５３】
いくつかの変形例において、その上に接着された複合材料１１２を有するスケートボードデッキ１０２は、硬化オーブン内に設置することができる。複合材料１１２の余剰材料は、スケートボードデッキ１０２の適切なサイズになるように切り落とすことができる。
【００５４】
凹部１０６は、スケートボードデッキ１０２の上面１０５内にミル加工することができる。バッテリ凹部は、硬化した複合材料１１２を通してミル加工することができる。いくつかの変形例において、スケートボードデッキ１０２用のブランクに凹部１０６をミル加工することができる。凹部１０６は、動力付きスケートボードの１つ以上の構成部品を格納するように構成することができる。凹部１０６は、制御ユニット、バッテリなどを格納するように構成することができる。
【００５５】
いくつかの変形例において、凹部１０６は、スケートボードデッキ１０２が複合材料１１２で積層された後、その上面１０５内にミル加工することができる。
【００５６】
いくつかの変形例において、ライトソケット１１４をスケートボードデッキ１０２内にミル加工することができる。電気配線は、凹部１０６から導管１０４及び配管１０８を通って走ることができる。
【００５７】
ライトソケット１１４は、レンズ１１６を受け入れるように構成することができる。レンズ１１６は、ライトソケット１１４に設置された発光デバイスによって放射された光を散乱させるように構成することができる。いくつかの変形例において、発光デバイスは、発光ダイオード（ＬＥＤ）を含むことができる。
【００５８】
いくつかの変形例において、配管１０８は導波路を含むことができる。光源は、凹部１０６内に設置することができる。光源とライトソケット１１４との間に導波路を設置することができる。いくつかの変形例において、単一の光源が、複数の導波路を介して複数のライトソケット１１４に照明を提供することができる。
【００５９】
トラックの取り付けポイント１１６は、スケートボードデッキ１０２内にミル加工することができる。いくつかの変形例において、スケートボードブランクがスケートボードデッキ１０２の形状にミル加工されたとき、トラックの取り付けポイント１１６をミル加工することができる。他の変形例において、スケートボードデッキ１０２が複合材料１１２で積層された後にトラックの取り付けポイント１１６をスケートボードデッキ１０２内にミル加工することができる。
【００６０】
図２は、本明細書の実施形態と一致する特徴の１つ以上を有する動力付きスケートボード１００と一緒に使用される凹部ライナー１１８を示す図である。凹部ライナー１１８は、スケートボードデッキ１０２内に形成された凹部１０６内に設けるように構成することができる。凹部ライナーは、１つ以上のファスナ位置１２０を有することができる。１つ以上のファスナ位置は、１つ以上のファスナを使用して凹部ライナー１１８を凹部１０６内への固定を容易にするように構成することができる。いくつかの変形例において、凹部ライナー（well liner）１１８は、接着剤、圧着などを用いて凹部１０６内に固定することができる。いくつかの変形例において、凹部ライナー１１８は、スケートボードデッキ１０２と一体化することができる。
【００６１】
凹部ライナー１１８は、動力付きスケートボード１００の１つ以上の構成部品を格納するように構成することができる。例えば、凹部ライナー１１８は、動力付きスケートボード１００に電力を供給するためのバッテリを格納するように構成されたバッテリキャビティ１２２を含むことができる。凹部ライナー１１８は、制御ユニットキャビティ１２４を含むことができる。
【００６２】
制御ユニットキャビティ１２４は、動力付きスケートボード１００用の制御ユニットを収容するように構成することができる。制御ユニットは、動力付きスケートボード１００のモータを制御し、動力付きスケートボード１００のユーザコントローラと通信し、動力付きスケートボード１００のユーザ又は所有者のモバイルデバイスと通信し、動力付きスケートボードのライトなど、動力付きスケートボード１００の１つ以上の部品を制御するように構成することができる。凹部ライナー１１８は、１つ以上の電気配線導管１２６を含むことができる。電気配線導管１２６は、制御ユニットキャビティ１２４内の制御ユニットと動力付きスケートボード１００の１つ以上の電気部品との間の電気配線の通過を容易にするように構成することができる。電気配線導管１２６は、凹部ライナー１１８内に設置された光源からの導波路の通過を容易にするように構成することができる。
【００６３】
凹部ライナー１１８は、セパレータ１２８を有することができる。セパレータ１２８は、動力付きスケートボード１００の異なる構成部品を分離するように構成することができる。セパレータ１２８は、動力付きスケートボード１００の定期的に取り外されるものではない構成要素、例えば、動力付きスケートボード１００の制御ユニットから、動力付きスケートボード１００の頻繁に取り外され又は交換される部品、例えばスケートボードデッキのバッテリ１３０、を分離するように構成することができる。いくつかの変形例において、内部凹部導管１３２を内部凹部セパレータ１２８内に設置し、バッテリ凹部１１２内の１つ以上の構成部品と制御ユニットキャビティ１２４内の１つ以上の構成部品との接続を容易にすることができる。例えば、内部凹部導管１３２は、バッテリ１３０と制御ユニットキャビティ１２４内の制御ユニットとの接続を容易にするように構成することができる。
【００６４】
図３は、本明細書の実施形態と一致する特徴の１つ以上を有する動力付きスケートボード１００と一緒に使用されるバッテリ１３０を示す図である。凹部ライナー１１８は、バッテリファスナ１３４を有することができる。バッテリファスナ１３４は、バッテリ１３０のバッテリファスナコネクタ１３６と係合するように構成することができる。図示されているのは、雄構成を有するバッテリファスナ１３４と、雌構成を有するバッテリファスナコネクタ１３６である。本開示は、凹部ライナー１１８のバッテリファスナ１３４が雌構成を有し、バッテリのバッテリファスナコネクタ１３６が雄構成を有することを想定している。
【００６５】
前述したように、凹部ライナー１１８は、スケートボードデッキ１０２の材料と一体化することができる。凹部ライナー１１８に関して図示及び説明した特徴は、スケートボードデッキ１０２の材料に直接に組み込ませることができる。
【００６６】
バッテリ１３０は、バッテリ凹部１２２に固定されるように構成することができる。バッテリ１３０は、バッテリコネクタ１３８を備えることができる。バッテリコネクタ１３８は、制御ユニットキャビティ１２４内に収容されている制御ユニットの相補型コネクタと接続するように構成することができる。
【００６７】
バッテリ１３０は、ハンドル１４０を備えることができる。ハンドルは、バッテリ１３０を凹部１０６から取り外すことを容易にするように構成することができる。
【００６８】
バッテリ１３０は、リブ付きの表面１４２を有することができる。リブ付きの表面１４２は、充放電の間にバッテリ１３０を冷却する際の効率を高めるために、増加した表面積を提供することができる。バッテリ１３０は、充電ポート１４４を備えることができる。充電ポート１４４は、バッテリ１３０を充電するために使用される。
【００６９】
バッテリ１３０は、充電レベルインジケータ１４６を有することができる。充電レベルインジケータ１４６は、バッテリ１３０内の充電レベルを示す１つ以上の表示を含むことができる。例えば、充電レベルインジケータ１４６は、充電を示す複数の点灯信号を含むことができる。点灯される信号は、バッテリ１３０の異なる充電レベルを示す異なる色を表すことができる。
【００７０】
バッテリ１３０は、バッテリ１３０の充電レベルの判定を容易にするように構成することができる。バッテリ１３０の充電レベルは、動力付きスケートボード１００のユーザのモバイル装置に送信することができる。バッテリ１３０の充電レベルは、動力付きスケートボード１００の制御ユニットを介してモバイルデバイスに送信することができる。
【００７１】
図４は、本明細書の実施形態と一致する特徴の１つ以上を有する動力付きスケートボード１００のいくつかの構成部品を示す図である。凹部１０６によって形成された開口をカバーするために、スケートボードデッキ１０２の上面１０５に凹部の蓋部１４８を設けることができる。蓋部１４８は、少なくとも部分的にスケートボードのライダーを支持するように構成することができる。蓋部１４８は、グリップテープなどでカバーすることができる。凹部１０６及び／又は凹部ライナー１１８は、スケートボードデッキ１０２における閉じている蓋部１４８を固定するためのファスナ１５０を備えることができる。蓋部１４８は、凹部１０６及び／又は凹部ライナー１１８のファスナ１５０と係合するための相補型締結部１５２を有することができる。いくつかの変形例において、蓋部１４８は、凹部１０６の長さに沿って延在することができる。
【００７２】
蓋部１４８は、凹部１０６及び／又は凹部ライナー１１８の少なくとも一部と係合するように構成されたガイド１５４を有することができる。いくつかの変形例において、蓋部１４８は、スケートボードデッキ１０２の凹部１０６のバッテリ凹部１２２に沿って延在することができる。制御ユニットキャビティ１２４を覆うカバーを設けることができる。
【００７３】
図５は、本明細書の実施形態と一致する特徴の１つ以上を有する動力付きスケートボード１００のいくつかの構成部品を示す図である。凹部１０６の長さに沿って延在する蓋部１５６を設けることができる。蓋部は、バッテリ凹部をカバーする取り外し可能な部分１５６と、制御ユニットのキャビティをカバーする固定部分１５８とを含むことができる。取り外し可能な部分１５６と固定部分１５８との間に、ヒンジ１６０を設置することができる。
【００７４】
いくつかの変形例において、バッテリ凹部用のカバー及び制御ユニットキャビティ用のカバーは、別々の構造にすることができる。
【００７５】
いくつかの変形例において、バッテリ１３０と蓋部１４８とを一体化することができる。バッテリ１３０の上面は、バッテリ凹部１２２の蓋部を形成することができる。バッテリ１３０の上面は、グリップテープ等でコーティングすることができる。
【００７６】
制御ユニットキャビティのカバーは、ファスナ、接着剤などでスケートボードデッキの上面１０５に固定することができる。グリップテープは、グリップテープが制御ユニットのカバーの上に延在することができるように、スケートボードデッキ１０２の上面１０５に適用することができる。こうすることによって、制御ユニットのカバーを隠蔽し、勝手の開封を防止することができる。
【００７７】
図６は、本発明主題の実施形態と一致する特徴の１つ以上を有するスケートボードデッキ６００の様々な構成部品を示す概略図である。スケートボードデッキは、底部６０２を備えることができる。底部６０２は、１つ以上のスケートボードトラックと容易に係合するように構成されたトラック取り付け部６０４を有することができる。スケートボードデッキ６００は、上部６０６を備えることができる。上部６０６は、上面６０８を有することができる。上面６０８は、動力付きスケートボードのライダーを支持するように構成することができる。スケートボードデッキ６００は、キャビティ６１０を有することができる。キャビティ６１０は、スケートボードデッキ６００の底部６０２と上部６０６との間に設置することができる。キャビティ６１０は、動力付きスケートボードの１つ以上の構成部品を格納するように構成することができる。
【００７８】
スケートボードデッキ６００の上部６０６は、開口部６１２を有することができる。開口部６１２は、スケートボードデッキ６００の上部６０６と底部６０２との間のキャビティ６１０へのアクセスを容易にするように構成することができる。
【００７９】
スケートボードデッキ６００の底部６０６は、支持構造を含むことができる。支持構造は、スケートボードデッキ６００の上部６０８を支持するように構成され、上部６０８が動力付きスケートボードのライダーを支持することを容易にすることができる。
【００８０】
本発明主題のいくつかの変形例において、スケートボードデッキの上部６０６は、複数の開口部６１２，６１６を備えることができる。１つの開口部６１４は、動力付きスケートボードの定期的に取り外すことができる構成部品へのアクセスを容易にするように構成することができる。このような定期的に外される構成部品は、動力付きデッキの燃料源及び／又は動力付きデッキの燃料源用の容器を含むことができる。他の開口部６１６は、動力付きスケートボード６１０の定期的に取り外されるものではない構成部品へのアクセスを容易にするように構成することができる。このような定期的に外されるものではない構成部品は、動力スケートボードを制御するための制御システムとすることができる。
【００８１】
構成部品は、１つ以上のモバイルデバイスと通信するように構成された送受信機を含むことができる。送受信機は、ＷｉＦｉ（登録商標）送受信機、ブルートゥース（Ｂｌｕｅｔｏｏｔｈ：登録商標）送受信機、近接フィールド通信送受信機、サブギガヘルツ送受信機、及び／又は他の任意の無線通信送受信機のうちの１つ以上とすることができる。送受信機は、動力付きスケートボード用の制御システムと電子通信することができる。制御システムは、動力付きスケートボードの１つ以上のパラメータを変更するように構成することができる。
【００８２】
開口部には蓋部６１４を設けることができる。蓋部６１４は、開口部６１２をカバーし、動力付きスケートボードのライダーに支持を提供するように構成することができる。蓋部６１４は、適所にねじ込まれることによって、開口部６１２をカバーし、ライダーに支持を提供するように構成することができる。蓋部６１４は、ヒンジ、ラッチ、コネクタ、又は他の接続機構を介してスケートボードデッキ６００の上部６０６に取り付けるように構成することができる。スケートボードデッキ６００の上部６０６は、蓋部６１４と係合するスロットを備え、蓋部６１４がスロットに滑り込み、スケートボードデッキ６００の開口部６１２をカバーし、ライダーを支持することができるように構成することができる。蓋部６１４は、スケートボードデッキ６００の上部６０６に取り外し可能に係合することができる。
【００８３】
蓋部６１４をスケートボードデッキ６００の上部６０６に取り外し可能に係合させることにより、動力付きスケートボードのユーザがキャビティ６１０内に収容された動力付きスケートボードの１つ以上の構成部品にアクセスすることを容易にすることができる。例えば、動力付きスケートボードには、電気的に動力を供給することができる。スケートボードデッキ６００のキャビティ６１０は、動力付きスケートボードの１つ以上の電気モータに電力を供給するために、１つ以上のバッテリパックを格納するように構成することができる。蓋部６１４をスケートボードデッキ６００の上部６０６に取り外し可能に係合させることにより、ユーザは、使用済みのバッテリパックを充電済みのバッテリパックと交換することを容易にすることができる。このようにして、ユーザは、動力付きスケートボードを継続に使用することができる。
【００８４】
スケートボードデッキ６００が複数の開口部６１２，６１６を含む変形例において、動力付きスケートボードの非定期的に外される構成部品へのアクセスを提供するための開口部６１６は、蓋部６２０によってカバーすることができる。開口部６１６をカバーするための蓋部６２０は、容易に取り外されることなく、スケートボードの転倒又は他の衝撃に耐えることができるように固定することができる。開口部６１６をカバーするための蓋部６２０は、ネジ、接着剤、及び／又は他の固定方法を用いてスケートボードデッキ６００の上部６０６に固定することができる。
【００８５】
スケートボードデッキ６００は、１つ以上の導管６１８を有することができる。１つ以上の導管６１８は、動力源と動力付きスケートボードの駆動源との間の接続を容易にするように構成することができる。１つ以上の導管６１８は、スケートボードデッキ６００のキャビティ６１０に設置された電源と、スケートボードデッキ６００のキャビティ６１０の外側に設置された１つ以上の電気モータとの間の接続を容易にするように構成することができる。
【００８６】
スケートボードデッキ６００の上部６０６と底部６０２との間のキャビティ６１０内に格納される構成部品は、受信器を含むことができる。受信器は、動力付きスケートボードを制御するため、ユーザからの指示を受信するように構成することができる。指示は送信器から受信することができる。送信器は、ハンドヘルド送信器を含むことができる。
【００８７】
スケートボードデッキ６００は、電気ポートの差し込み口６２２を含むことができる。電気ポートの差し込み口６２２は、電気ポート６２４をスケートボードデッキ６００に固定するように構成することができる。電気ポート６２４は、ＵＳＢポート、ＦｉｒｅＷｉｒｅポート、及び／又は他のポートのうちの１つ以上とすることができる。電気ポート６２４は、外部装置と動力付きスケートボードの１つ以上の構成部品との間の通信を容易にするように構成することができる。電気ポート６２４は、動力付きスケートボードの１つ以上の構成部品への電気エネルギーの伝達を容易にするように構成することができる。電気ポート６２４は、動力付きスケートボードの１つ以上の構成部品から外部装置への電気エネルギーの伝達を容易にするように構成することができる。
【００８８】
図７は、本発明主題の実施形態と一致する特徴の１つ以上を有するスケートボードデッキ６００の様々な構成部品を示す概略図である。スケートボードデッキ６００の上部６０６は、スケートボードデッキ６００の底部６０２に固定することができる。スケートボードデッキ６００の上部６０６は、ネジ、接着剤、溶接、機械的締結、及び／又は他の固定機構のうちの１つ以上によってスケートボードデッキ６００の底部６０６に固定することができる。スケートボードデッキ６００の上部６０６は、スケートボードデッキ６００の底部６０２と連続していてもよい。スケートボードデッキ６００は、モノコック構造を有することができる。
【００８９】
スケートボードデッキ６００は、射出形成されたプラスチックを含むことができる。スケートボードデッキ６００は、射出形成されたプラスチックを含むことができる。スケートボードデッキ６００は、炭素繊維を含むことができる。スケートボードデッキ６００は、鍛造炭素繊維を含むことができる。スケートボードデッキ６００は、強化炭素繊維を含むことができる。
【００９０】
スケートボードデッキ６００の構成部品は、モジュラー構造を有することができる。モジュラー構造は、多角形構造を有することができる。多角形構造は、六角形又は長方形とすることができる。多角形構造は、スケートボードデッキ６００の構成部品の強度及び安定性を維持しながら、軽量構造を提供することができる。
【００９１】
図８は、本発明主題の実施形態と一致する特徴の１つ以上を有するスケートボードデッキ６００の様々な要素を示す概略図である。動力付きスケートボードは、電動式とすることができる。上部６０６と底部６０２との間のキャビティ６１０内に格納されている１つ以上の構成部品は、電動式スケートボードの１つ以上の電気モータに電力を供給するための電源を含むことができる。電源は、バッテリパック６２４を含むことができる。
【００９２】
本発明主題により想定されるバッテリパック６２４は、交換可能とすることができる。本発明主題により想定されるバッテリパック６２４は、本明細書で開示される動力付きスケートボード用のスケートボードデッキ６００のキャビティ６１０内に固定するのに適した幅６２６を有することができる。本発明主題により想定されるバッテリパック６２４は、本明細書で開示される動力付きスケートボード用のスケートボードデッキ６００のキャビティ６１０内にはめ込むのに適した厚さ１２７を有することができる。本発明主題により想定されるバッテリパック６２４は、スケートボードデッキ６００の前部トラック取り付け部６３０と後部トラック取り付け部６３２との間にはめ込むのに適した長さ６２８を有することができる。想定されるバッテリパック６２４は、スケートボードデッキ６００から取り外し可能に構成することができる。例えば、バッテリパックが空になったときに、充電されたバッテリパックと交換することができる。バッテリパック６２４は、スケートボードデッキ６００のキャビティ６１０内のバッテリパック６２４の取り外し及び／又は交換を容易にするために可撓性とすることができる。
【００９３】
図９は、本発明主題により想定される１つ以上の要素を有するバッテリパック６２４を示す。バッテリパックは、複数のセルを有することができる。バッテリパック６２４は、ケーシング６３４を備えることができる。ケーシング６３４は、スケートボードデッキ６００の１つ以上のキャビティ６１０内にバッテリパック６２４を固定するように適合された形状及び／又は寸法を有することができる。ケーシング６３４は、バッテリパック６２４を取り囲むフランジ６３６を含むことができる。フランジ６３６は、スケートボードデッキ６００のキャビティ６１０内の相補型受信器と係合するように構成することができる。フランジ６３６及び相補型受信器は、バッテリパックをスケートボードデッキ６００のキャビティ６１０内に固定するように構成することができる。蓋部６１４は、バッテリパック６２４をスケートボードデッキのキャビティ６１０内に固定することを容易にすることができる。
【００９４】
本発明主題は、蓄えられる電荷量の異なる複数の異なるバッテリパック６２４を想定している。複数の異なるバッテリパックは、実質的に同様の寸法を有する外側ケースを備えることができる。実質的に同様の寸法を有する外側ケースを備える複数の異なるバッテリパックは、バッテリパックの容量に関係なく、複数の異なるバッテリパックをスケートボードデッキのキャビティ内に固定することを容易にすることができる。スケートボードデッキ内のキャビティは、異なるサイズのバッテリパックをキャビティ内に固定するように構成することができる。
【００９５】
図１０は、本明細書の実施形態と一致する特徴の１つ以上を有するスケートボードデッキを作製する方法１０００の態様を示すプロセスフロー図である。動力付きスケートボードデッキを作製する方法１０００は、１つ以上の操作を含むことができる。図１０に示されている方法１０００の実行順序は、本明細書で論じられているが、示されている実行順序に限定する意図ではなく、必要に応じて実行順序を変更することができる。
【００９６】
符号１００２において、スケートボードデッキは、ブランクコアにより形成することができる。スケートボードデッキは、動力付きスケートボードのライダーを支持する上面を有することができる。スケートボードデッキは、１つ以上のスケートボードトラックと容易に係合するように構成された底面を有することができる。スケートボードデッキは、スケートボードデッキの横方向のサイズよりも大きな縦方向のサイズを有することができる。
【００９７】
符号１００４において、スケートボードデッキの上面内に導管を形成することができる。導管は、凹部とスケートボードデッキの縁部との間に設置されるワイヤを支持するように構成することができる。
【００９８】
符号１００６において、スケートボードデッキは、複合材料でラップすることができる。いくつかの変形例において、複合材料は、スケートボードデッキの上面内に形成された導管の開口を覆うことができる。いくつかの変形例において、複合材料でスケートボードデッキをラップする前に、又はラップする間に、補強レール及び／又は他の補強部材をスケートボードデッキに適用することができる。補強レールは、スケートボードデッキの縦方向の側部に設置することができる。
【００９９】
符号１００８において、複合材料をスケートボードデッキにおいて硬化させることができる。
【０１００】
符号１０１０において、スケートボードデッキの上面に凹部を形成することができる。凹部は、スケートボードデッキの上面から材料を除去することによって形成することができる。凹部は、動力付きスケートボードの１つ以上の構成部品を格納するように適合することができる。いくつかの変形例において、凹部ライナーをスケートボードデッキの凹部内に設けることができる。凹部は、動力付きスケートボードの１つ以上の構成部品を収容するように構成することができる。凹部内に格納される動力付きスケートボードの１つ以上の構成部品は、動力付きスケートボード用の動力源を含む。凹部内に格納される動力付きスケートボードの１つ以上の構成部品は、動力付きスケートボード用の制御モジュールを含む。
【０１０１】
いくつかの変形例において、光、レンズ、又は他の電気機器を受け入れるために、ソケットをスケートボードデッキ内にミル加工することができる。
【０１０２】
凹部に格納される動力付きスケートボードの１つ以上の構成部品は、動力付きスケートボード用の制御モジュールを含む、請求項１に記載の方法。
【０１０３】
スケートボードデッキの表面における凹部によって形成された開口をカバーするように構成された取り外し可能な凹部カバーを設けることができる。
【０１０４】
図１１は、本発明主題の実施形態と一致する特徴の１つ以上を有するスケートボードデッキを作製する方法１１００の態様を示すプロセスフロー図である。動力付きスケートボードデッキを作製する方法１１００は、１つ以上の操作を含むことができる。方法１１００の操作の順序は、図１１に示され、本明細書で論じられているが、限定することを意図するものではなく、必要に応じて変更することができる。
【０１０５】
操作１１０２において、スケートボードデッキの底部に第１モールドを設けることができる。第１モールドは、トラックの取り付け部を形成することができる。トラックの取り付け部は、スケートボードデッキの底部が１つ以上のスケートボードトラックと容易に係合するように構成することができる。
【０１０６】
操作１１０４において、成形可能な材料を第１モールドに導入し、スケートボードデッキの底部を形成することができる。
【０１０７】
操作１１０６において、スケートボードデッキの上部に第２モールドを設けることができる。第２モールドは、スケートボードのライダーを支持する上面を有するように、スケートボードデッキの上部を形成することができる。
【０１０８】
操作１１０８において、成形可能な材料を第２モールドに導入し、スケートボードデッキの上部を形成することができる。
【０１０９】
第１モールドは、成形可能な材料によりスケートボードデッキの底部を形成するために利用することができる。第２モールドは、成形可能な材料によりスケートボードデッキの上部を形成するために利用することができる。第１モールド及び第２モールドは、底部と上部とが結合されたときに、スケートボードデッキの底部と上部との間にキャビティを形成するように構成することができる。
【０１１０】
操作１１１０において、スケートボードデッキの上部と底部とは、ネジ、接着剤を用いた１つ以上の音波を利用する締結法（sonically securing）、及び／又は他の結合方法によって結合することができる。
【０１１１】
図１２は、本発明主題の実施形態と一致する特徴の１つ以上を有するスケートボードデッキを作製する方法１２００の態様を示すプロセスフロー図である。動力付きスケートボードデッキを作製する方法１２００は、１つ以上の操作を含むことができる。
方法１２００の操作の順序は、図１２に示され、本明細書で論じられているが、限定することを意図するものではなく、必要に応じて変更することができる。
【０１１２】
操作１２０２において、スケートボードデッキ用のモールドが設けられ、当該モールドは内面を有する。内面は、スケートボードデッキのモールディングを容易にするように構成することができる。スケートボードデッキは、動力付きスケートボードのライダーを支持するように適合された上部を含むことができる。スケートボードデッキは、１つ以上のスケートボードトラックと容易に係合するように構成されたトラック取り付け部を有する底部を含むことができる。スケートボードデッキは、スケートボードデッキの上部と底部との間におけるキャビティを有することができる。
【０１１３】
操作１２０４において、成形可能な材料をスケートボードデッキ用のモールドに導入することができる。
【０１１４】
操作１２０６において、操作１２０４で提供される成形可能な材料で、操作１２０２において設けられたモールドの内面をコーティングするようにすることができる。
【０１１５】
操作１２０８において、膨張可能なブラダをモールド内に導入することができる。モールドは、その内面が成形可能な材料でコーティングすることができる。
【０１１６】
操作１２１０において、膨張可能なブラダを膨張させることができる。膨張可能なブラダを膨張させることによって、成形可能な材料をモールドの内面に対し、押し付けるようにすることができる。成形可能な材料をモールドの内面に対して押し付けることによって、成形可能な材料がモールドの内面の形状をとるようにすることができる。
【０１１７】
操作１２１２において、スケートボードデッキの上部に開口部を形成することができる。
【０１１８】
方法１１００及び１２００の様々な操作は、成形可能な材料の加熱及び／又は冷却を含むことができる。方法１１００及び方法１２００の様々な操作は、成形可能な材料を成形する前に、及び／又は成形した後に成形可能な材料を処理し、スケートボードデッキの１つ以上の要素を形成することを含むことができる。
【０１１９】
本明細書に記載の発明主題は、所望の構成に応じて、システム、装置、方法、及び／又は物品に具体化することができる。前記記載された実施形態は、本明細書に記載の発明主題と一致する全ての実施形態を示すものではない。むしろ、それらは、記載された発明主題に係る態様と一致する単にいくつかの例である。いくつかの変形例を前記で詳細に説明したが、他の修正又は追加が可能である。特に、本明細書に記載されたものに加えて、更なる特徴及び／又は変形を提供することができる。例えば、前述した実施形態は、開示された特徴の様々な組み合わせ及びサブコンビネーション、及び／又は前記記載のいくつかの更なる特徴の組み合わせ及びサブコンビネーションに導くことができる。更に、添付の図面に示され、及び／又は本明細書で説明されるロジックフローは、望ましい結果を達成するために、示された特定の順序又は順番を必ずしも必要としない。他の実施形態は、以下の特許請求の範囲内に含まれることができる。
【図１】
2018512981.tif 000003
【図２】
2018512981.tif 000004
【図３】
2018512981.tif 000005
【図４】
2018512981.tif 000006
【図５】
2018512981.tif 000007
【図６】
2018512981.tif 000008
【図７】
2018512981.tif 000009
【図８】
2018512981.tif 000010
【図９】
2018512981.tif 000011
【図１０】
2018512981.tif 000012
【図１１】
2018512981.tif 000013
【図１２】
2018512981.tif 000014
【国際調査報告】
2018512981.tif 000015